(57)【要約】【課題】一覧表示したインデックス画像を視認するだけで、インデックス画像として表示されている画像が具体的にどの程度の大きさでプリントアウトされるのかまでを実感することができるようにする。【解決手段】インデックス画像との画像サイズの対比によって、当該インデックス画像の画像データの原画像サイズをユーザに認識させるためのサンプル画像をインデックス画像と共にディスプレイ画面上に表示させる。【選択図】　　　　図５
2004015237.tif 000002
【特許請求の範囲】
【請求項１】
コンピュータに対して、記録媒体に記録された画像データのインデックス画像を生成させ、ディスプレイ等に表示させるための画像表示プログラムにおいて、
記録媒体に記録されている画像データを読み出す画像データ読み出し手段と、
前記読み出した画像データを用いて、当該画像データの原画像サイズに応じた画像サイズのインデックス画像を生成するインデックス画像生成手段と、
前記インデックス画像との対比によって、当該インデックス画像の画像データの原画像サイズをユーザに認識させるためのサンプル画像を生成するサンプル画像生成手段と、
前記インデックス画像及びサンプル画像をディスプレイ画面上に表示させる画像表示手段としてコンピュータを機能させることを特徴とする画像表示プログラム。
【請求項２】
前記サンプル画像生成手段は、インデックス画像の画像サイズに応じてサンプル画像の種類を変更して生成することを特徴とする請求項１に記載の画像表示プログラム。
【請求項３】
前記画像表示手段は、前記インデックス画像をディスプレイ画面上に表示させているときに、ディスプレイ画面上に表示しているマウスポインタがインデックス画像に重なったことを条件として、当該マウスポインタをサンプル画像に切り換えて表示させることを特徴とする請求項１又は請求項２に記載の画像表示プログラム。
【請求項４】
記録媒体に記録された画像データのインデックス画像を生成し、ディスプレイ等に表示する画像表示装置において、
記録媒体に記録されている画像データを読み出す画像データ読出手段と、
前記読み出した画像データを用いて、当該画像データの原画像サイズに応じた画像サイズのインデックス画像を生成するインデックス画像生成手段と、
前記インデックス画像との対比によって、当該インデックス画像の画像データの原画像サイズをユーザに認識させるためのサンプル画像を生成するサンプル画像生成手段と、
前記インデックス画像及びサンプル画像をディスプレイ画面上に表示させる画像表示手段と
を備えたことを特徴とする画像表示プログラム。
【請求項５】
前記サンプル画像生成手段は、インデックス画像の画像サイズに応じてサンプル画像の種類を変更して生成することを特徴とする請求項４に記載の画像表示装置。
【請求項６】
前記画像表示手段は、前記インデックス画像をディスプレイ画面上に表示しているときに、ディスプレイ画面上に表示しているポインタが前記インデックス画像に重なったことを条件として、当該ポインタをサンプル画像に切り換えて表示することを特徴とする請求項４又は請求項５に記載の画像表示装置。
【発明の詳細な説明】
【０００１】
【発明の属する技術分野】
本発明は、記録媒体に記録されている複数の画像データの各インデックス画像を生成してコンピュータ等の画面上に表示する画像表示装置及びそのための画像表示プログラムに関する。
【０００２】
【従来の技術】
従来から、コンピュータ内のハードディスクや、光ディスク等の記録媒体に記録されている複数の画像データについて、各画像を縮小したサイズのインデックス画像を作成し、生成したインデックス画像をディスプレイ画面上に並べて一覧表示する画像表示装置及びそのための画像表示プログラムが知られている。このような画像表示装置及び画像表示プログラムは、複数のインデックス画像を一覧表示する時には、図１２に示すように、各画像の原画像サイズ（画像の大きさであり、スキャナ等による画像データ読込時の取り込み用紙のサイズ）に拘わらず、１つのインデックス画像を表示するために割り当てられた区画（インデックス画像表示領域）内に収まる略同一の大きさに各インデックス画像を作成する。或いは、図１３に示すように、一覧表示する複数のインデックス画像のサイズを各原画像サイズに応じて異ならせることによって、ユーザが各インデックス画像の大きさを視認するだけで、各画像の原画像サイズを把握できるようにしたものがある。
【０００３】
【発明が解決しようとする課題】
しかしながら、上記図１２に示すインデックス画像の一覧表示の場合、原画像サイズに拘わらず各インデックス画像を略同一の大きさに生成して表示するため、表示されているインデックス画像のサイズから瞬時に原画像の原画像サイズまで把握することは困難である。また、各画像データの原画像サイズ毎にインデックス画像のサイズを異ならせて一覧表示する場合は（図１３）、一覧表示されている各インデックス画像の画像サイズを対比すれば、インデックス画像として表示されている画像の原画像サイズの違いを把握することはできるが、各画像が具体的にどの程度の大きさでプリントアウトされるのかまでを実感することはできない。
【０００４】
本発明は、上述した問題点を解決するためになされたものであり、一覧表示したインデックス画像を視認するだけで、インデックス画像として表示されている画像が具体的にどの程度の大きさでプリントアウトされるのかまでを実感することができる画像表示プログラム及び画像表示装置を提供することを目的とする。
【０００５】
【課題を解決するための手段】
上記目的を達成するために請求項１に記載の発明は、コンピュータに対して、記録媒体に記録された画像データのインデックス画像を生成させ、ディスプレイ等に表示させるための画像表示プログラムにおいて、
記録媒体に記録されている画像データを読み出す画像データ読出手段と、
前記読み出した画像データを用いて、当該画像データの原画像サイズに応じた画像サイズのインデックス画像を生成するインデックス画像生成手段と、
前記インデックス画像との対比によって、当該インデックス画像の画像データの原画像サイズをユーザに認識させるためのサンプル画像を生成するサンプル画像生成手段と、
前記インデックス画像及びサンプル画像をディスプレイ画面上に表示させる画像表示手段としてコンピュータを機能させるものである。
【０００６】
また、請求項４に記載の発明は、記録媒体に記録された画像データのインデックス画像を生成し、ディスプレイ等に表示する画像表示装置において、
記録媒体に記録されている画像データを読み出す画像データ読出手段と、
前記読み出した画像データを用いて、当該画像データの原画像サイズに応じた画像サイズのインデックス画像を生成するインデックス画像生成手段と、
前記インデックス画像との対比によって、当該インデックス画像の画像データの原画像サイズをユーザに認識させるためのサンプル画像を生成するサンプル画像生成手段と、
前記インデックス画像及びサンプル画像をディスプレイ画面上に表示させる画像表示手段と
を備えたものである。
【０００７】
これらの構成によれば、インデックス画像との対比によってインデックス画像として表示されている画像の原画像サイズをユーザが認識できるサンプル画像が、インデックス画像と共にディスプレイ画面上に表示されるので、ユーザは一覧表示されたインデックス画像及びサンプル画像を視認することによって、インデックス画像として表示されている画像が、具体的にどの程度の大きさでプリントアウトされるのかを実感することができる。
【０００８】
また、請求項２に記載の発明は、請求項１に記載の画像表示プログラムにおいて、前記サンプル画像生成手段は、インデックス画像の画像サイズに応じてサンプル画像の種類を変更して生成するものである。
【０００９】
また、請求項５に記載の発明は、請求項４に記載の画像表示装置において、前記サンプル画像生成手段は、インデックス画像の画像サイズに応じてサンプル画像の種類を変更して生成するものである。
【００１０】
これらの構成によれば、インデックス画像の画像サイズを把握するために適切な物品の画像を、インデックス画像サイズ毎に変更してサンプル画像として用いることが可能になるので、ユーザはインデックス画像とサンプル画像の画像サイズを対比することによって、画面上にインデックス画像として表示されている画像が、具体的にどの程度の大きさでプリントアウトされるのかをより的確に実感することができる。
【００１１】
また、請求項３に記載の発明は、請求項１又は請求項２に記載の画像表示プログラムにおいて、前記画像表示手段は、前記インデックス画像をディスプレイ画面上に表示させているときに、ディスプレイ画面上に表示しているマウスポインタが前記インデックス画像に重なったことを条件として、当該マウスポインタを前記サンプル画像に切り換えて表示するものである。
【００１２】
また、請求項６に記載の発明は、請求項４又は請求項５に記載の画像表示装置において、前記画像表示手段は、前記インデックス画像をディスプレイ画面上に表示しているときに、ディスプレイ画面上に表示しているポインタが前記インデックス画像に重なったことを条件として、当該ポインタをサンプル画像に切り換えて表示するものである。
【００１３】
これらの構成によれば、普段はインデックス画像のみが表示されたシンプルな画面として、インデックス画像のサイズや画像内容を視認しやすい画面にしておき、インデックス画像とサンプル画像との画像サイズの対比を行いたい場合に、例えばマウスポインタ操作等によって即座にサンプル画像を表示させることができる。
【００１４】
【発明の実施の形態】
以下、本発明の一実施形態に係る画像表示装置及び画像表示プログラムについて図面を参照して説明する。図１は本発明に係る画像表示装置の概略構成を示すブロック図である。図１に示す画像表示装置１は、パーソナルコンピュータ等から構成される。画像表示装置１は、装置全体の動作制御を司るＣＰＵ２を備え、このＣＰＵ２には、内部バスによって入力装置３，ＲＯＭ４，ＲＡＭ５，記憶装置６，ディスプレイ７及び記録媒体駆動装置８が接続されている。これら各部はＣＰＵ２の制御の下、内部バスを介して各種データが各部間で入出力され、各種処理が実行される。
【００１５】
入力装置３はキーボードやマウス等から構成され、ユーザによって操作指示等が入力される。ＲＯＭ４には、装置全体の動作制御用のシステムプログラム等が記憶されている。記憶装置６は、ハードディスクドライブ等から構成され、本発明に係る画像表示プログラム等が記憶されている。ＣＰＵ２は、記憶装置６から画像表示プログラム等を読み出し、その処理を実行して各ブロックの動作を制御する。また、ＲＡＭ５はＣＰＵ２の作業領域として用いられる。ディスプレイ７はＣＲＴ又は液晶表示装置等からなり、ＣＰＵ２による制御で各種画面を表示する。
【００１６】
上記画像表示プログラムは、ＣＤ−ＲＯＭ、ＦＤ等の記録媒体９から、ディスクドライブ等で構成される記録媒体駆動装置８を用いて記憶装置６に記録するようにしてもよい。また、当該画像表示装置１がネットワークを介して他のコンピュータ等に接続されている場合には、当該コンピュータ等からネットワークを介して画像表示プログラム等をダウンロードしてもよい。
【００１７】
次に、上記のように構成された画像表示装置１の主要な機能について説明する。図２は画像表示装置１の主要機能ブロック図である。図２に示すように、画像表示装置１では、記憶装置６に記憶された画像表示プログラムに従って、ＣＰＵ２がプログラム実行部として機能する。ＰＤＦ形式，ＪＰＥＧ形式等の画像データ（画像データ）１〜ｎが記憶されたＣＤ−ＲＯＭ等の記録媒体９は、記録媒体駆動装置８を介してＣＰＵ２によって読み出される。なお、当該画像データは記憶装置６に記憶されたものであってもよい。記録媒体９から読み出された画像データａ〜ｎは、その内容を所定サイズに縮小したインデックス画像がＣＰＵ２によって生成され、このインデックス画像は画像メモリとして機能するＲＡＭ５に一旦転送され、ディスプレイ７に表示される。
【００１８】
ＣＰＵ２は、記憶装置６内の画像表示プログラムの指示に基づいて、記録媒体９に記録されている画像データを読み出す画像データ読出部（画像データ読出手段）２１と、画像データからインデックス画像を生成するインデックス画像生成部２２と、サンプル画像（詳細は後述）を生成するサンプル画像生成部２３と、生成したインデックス画像及びサンプル画像をＲＡＭ５（図示省略）を介してディスプレイ７の画面上に表示させる画像表示部（画像表示手段）２４として機能する。
【００１９】
上記インデックス画像生成部２２は、記録媒体９から読み出した画像データについて、画像表示プログラム内に記憶されているインデックス画像サイズ通りの大きさでインデックス画像を生成する。このインデックス画像サイズは、画像表示プログラム内の画像サイズ記憶部に記憶されており、画像データの各原画像サイズ（画像の大きさであり、スキャナ等による画像データ読込時の取り込み用紙のサイズ）に応じて異なるサイズとなるように設定されている。すなわち、原画像サイズが大きい場合はインデックス画像サイズが大きく、原画像サイズが小さい場合はインデックス画像サイズが小さく設定されている。なお、当該インデックス画像生成部２２及び画像サイズ記憶部はインデックス画像生成手段として機能する。
【００２０】
さらに、画像サイズ記憶部に記憶されている当該インデックス画像サイズは、各画像データの原画像サイズの違いに応じて異なるが、Ａ０等の大きい原画像サイズの画像データについてのインデックス画像サイズは、原画像サイズからの縮小率を大きく設定し、また、名刺サイズ等の小さい原画像サイズの画像データのインデックス画像サイズは、原画像サイズからの縮小率を小さく設定している。
【００２１】
上記サンプル画像生成部２３は、画像表示プログラム内のサンプル画像データ記憶部からサンプル画像データを読み出し、画像サイズ記憶部に記憶されているサンプル画像サイズ通りの大きさでサンプル画像を生成する。このサンプル画像は、インデックス画像の一覧表示時にインデックス画像と共にその近傍に表示するものであり、インデックス画像との大きさの対比によって、当該インデックス画像の原画像サイズを認識しさせるためのキャラクタ画像のことである。なお、当該サンプル画像生成部２３、画像サイズ記憶部及びサンプル画像データ記憶部が特許請求の範囲のサンプル画像生成手段に相当する。
【００２２】
当該サンプル画像としては、例えば、人間の手、タバコのケース、硬貨等の画像等、画像データのプリントアウト時の大きさを具体的に把握しやすい物の画像を採用する。そして、インデックス画像（原画像）を実際にプリントアウトした場合の大きさ（印刷用紙の大きさ）と、当該人間の手等の実際の大きさの比と、当該画像データのインデックス画像サイズと当該サンプル画像サイズとの比が略同一になるようにサンプル画像サイズを設定する。本実施形態では、画像データの原画像サイズに対応させたサンプル画像サイズが上記画像サイズ記憶部に記憶されている。
【００２３】
次に、上記画像生成処理の第１の実施形態について説明する。図３は当該インデックス画像生成処理のフローチャート、図４は各原画像サイズに対応するインデックス画像サイズの対比をグラフで示した図、図５はインデックス画像及びサンプル画像のディスプレイ上での表示例を示す図である。
【００２４】
記録媒体９に記憶されている画像データを用いてインデックス画像を生成する場合、ＣＰＵ２は、まず記録媒体９のディレクトリ内の画像情報に基づいて当該画像データの原画像サイズを確認し（Ｓ１）、当該原画像サイズに対応するインデックス画像サイズ及びサンプル画像サイズを、画像表示プログラム内の画像サイズ記憶部から読み出して決定する（Ｓ２）。
【００２５】
このインデックス画像のサイズは、画像データの原画像サイズ毎に異なるが、上述したように、基準サイズ（Ａ３，Ａ４等の事務で多用されるサイズ）よりも大きい原画像サイズ（Ａ０サイズ等）の画像データについては原画像サイズからの縮小率を大きくし、画像データの原画像サイズが基準サイズよりも小さい場合には（名刺サイズ等）、原画像サイズからの縮小率を小さくするように設定されており、図４のグラフに示すように、画像データの原画像サイズが大きくなっても、対応するインデックス画像サイズは完全に比例して大きくならないように設定されている。
【００２６】
例えば、画像データの原画像サイズが、事務用紙として多用されるＡ４サイズ、Ｂ４サイズ、Ａ３サイズの場合は、原画像サイズがＡ４サイズからＡ３サイズへと大きくなるのに比例させてインデックス画像サイズも大きくする。Ａ３サイズよりも大きい原画像サイズ（Ａ２以上のサイズ）の画像データについては、原画像サイズからの縮小率を大きくして、生成されるインデックス画像サイズを、原画像サイズがＡ４〜Ａ３サイズの画像データのインデックス画像サイズに近付ける。このＡ３サイズよりも大きいサイズの画像データのインデックス画像サイズは、他の原画像サイズの画像データのインデックス画像サイズとの相対的な大小関係を維持しつつ、当該インデックス画像の１頁分全体が表示されるように設定されている。
【００２７】
また、Ｂ５サイズ以下のサイズ（Ａ４サイズよりも小さいサイズ）の画像データについては、原画像サイズからの縮小率を小さくして、インデックス画像サイズをＡ４〜Ａ３サイズの画像データのインデックス画像サイズに近付ける。この場合のインデックス画像サイズは、原画像サイズの画像サイズの大小関係を維持した最大の大きさであって、当該インデックス画像の１頁分全体が表示されるように設定されている。
【００２８】
そして、上記インデックス画像サイズの決定後、記録媒体９から当該画像データを読み出し（Ｓ３）、読み出した画像データを間引処理等によって縮小処理して当該決定したサイズのインデックス画像を生成する（Ｓ４）。さらに、画像表示プログラム内のサンプル画像記憶部からサンプル画像データを読み出し（Ｓ５）、読み出したサンプル画像データを当該決定したサイズに処理してサンプル画像を生成する（Ｓ６）。次に、生成したインデックス画像及びサンプル画像のデータをＲＡＭ５（画像メモリ）に転送し（Ｓ７）、当該インデックス画像をディスプレイ７に表示させる（Ｓ８）。以上の処理は、記録媒体に記録されている全ての画像データについて行う。
【００２９】
このようにしてインデックス画像及びサンプル画像を生成して表示すれば、図５にように、名刺のように小さな原画像サイズ場合は人間の手の画像が比較的大きく表示され、Ａ０のように大きな原画像サイズの場合は人間の手が小さく表示されるので、一覧表示されたインデックス画像とサンプル画像との画像サイズの対比によって、インデックス画像として表示されている原画像が、実際上どの程度の大きさでプリントアウトされるのかを実感することができる。
【００３０】
また、図５に示すように、ディスプレイ７の画面上に、原画像サイズの異なる各画像データの全内容を表示しつつ、各画像データの原画像サイズの大小関係も表示されるので、ユーザは表示されている各インデックス画像の大きさを比較することによって、必要な原画像サイズの画像データを瞬時に選択することができる。また、Ａ０サイズ等の大きな原画像サイズであっても、画像データ１頁分の全内容が表示され、名刺サイズのような小さな原画像サイズであっても、画像データの内容が大きく表示されるので、ユーザは画像データの原画像サイズに拘わらず、画像データの内容を容易に把握することができる。
【００３１】
次に、画像生成処理の第２実施形態について説明する。図６は当該画像生成処理の第２実施形態を示すフローチャート、図７及び図８はインデックス画像及びサンプル画像のディスプレイ上での表示例を示す図である。本第２実施形態では、記録媒体９に記録されている複数の画像データの各原画像サイズを比較して、複数の画像データの各原画像サイズが一定範囲内に揃っている場合（例えば、複数の画像データが同じような大きさの原画像サイズばかりである場合や、名刺サイズからＡ０サイズまでのバラついた原画像サイズの画像データが記録されていない場合等）は、インデックス画像を、他の原画像サイズの画像データのインデックス画像との相対的な大小関係を維持しつつ、１つのインデックス画像を表示するために割り当てられた区画（インデックス画像表示領域）内に収まる最大の大きさとなるように拡大して生成する。そして、当該インデックス画像の拡大生成処理に合わせて、サンプル画像も、対応するインデックス画像との相対的な画像サイズの大きさの関係を維持すべく拡大して生成する。
【００３２】
当該第２実施形態に係るインデックス画像生成処理を行う場合、ＣＰＵ２は、まず記録媒体９のディレクトリ内の画像情報に基づいて、記録媒体９に記録されている複数の画像データの各原画像サイズを確認する（Ｓ１１）。そして、各画像データの原画像サイズが一定範囲内に揃っているかを確認する（Ｓ１２）。
【００３３】
ここで、各画像データの原画像サイズが一定範囲内に揃っている場合は（Ｓ１２でＹＥＳ）、各画像データについて生成するインデックス画像のサイズを所定の大サイズに決定する（Ｓ１３）。この所定の大サイズとは、上述したように、各画像データの原画像サイズの相対的な大小関係を維持したままで、インデックス画像表示領域内に収まる最大の大きさに拡大したインデックス画像サイズである。このような拡大したインデックス画像サイズは、インデックス画像を生成すべき画像データの原画像サイズの組み合わせに応じて、画像表示プログラム内の画像サイズ記憶部に記憶しておく。
【００３４】
次に、Ｓ１３でインデックス画像サイズを決定した後は、当該インデックス画像サイズに対応させて予め定められたサンプル画像サイズを決定する（Ｓ１４）。すなわち、インデックス画像を拡大して表示する分だけ、サンプル画像も拡大表示されるようにサンプル画像サイズを決定する。
【００３５】
また、記録媒体９に記憶されている各画像データのサイズが一定範囲内に揃っていない場合（Ｓ１２でＮＯ）、例えば、記録媒体９の画像データの原画像サイズが名刺サイズからＡ０サイズまで多様であってバラツキがある場合等は、各画像データのインデックス画像サイズは、第１実施形態と同様、画像データ同士の原画像サイズの相対的な関係に拘わらず、画像データに対して予め定められた標準サイズをインデックス画像サイズ記憶部から読み出して、インデックス画像サイズとして決定する（Ｓ２１）。この場合、サンプル画像サイズは、画像サイズ記憶部に記憶されている標準的なサイズ（拡大表示用ではないサイズ）に決定する（Ｓ１４）。
【００３６】
上記インデックス画像サイズの決定後、記録媒体９から各画像データを読み出し（Ｓ１５）、読み出した画像データを間引処理して当該決定したサイズのインデックス画像を生成する（Ｓ１６）。さらに、画像表示プログラム内のサンプル画像記憶部からサンプル画像データを読み出し（Ｓ１７）、読み出したサンプル画像データを処理して当該決定したサイズのサンプル画像を生成する（Ｓ１８）。そして、生成したインデックス画像のデータをＲＡＭ５（画像メモリ）に転送し（Ｓ１９）、当該インデックス画像をディスプレイ７に表示させる（Ｓ２０）。
【００３７】
例えば、記録媒体９にＡ５サイズと名刺サイズの画像データのみが記録されている場合は、図７に示すように、Ａ５サイズの画像データのインデックス画像サイズを、インデックス画像表示領域に収まる最大の大きさに拡大したサイズとすると共に、名刺サイズの画像データのインデックス画像は、Ａ５サイズの画像データのインデックス画像を拡大させたことに対応させた拡大サイズとし、Ａ５サイズの画像データのインデックス画像よりは小さくして、Ａ５サイズの画像データのインデックス画像との相対的な大小関係は維持する。
【００３８】
また、図８に示すように、記録媒体９に記録されている画像データの原画像サイズが名刺サイズ等の小さなサイズ１種類のみであるような場合は、この名刺サイズ等の画像データのインデックス画像をインデックス画像表示領域に収まる最大の大きさに拡大したサイズに決定する。
【００３９】
このように、記録媒体９に大きな原画像サイズの画像データが記録されていない場合に、当該画像データの中で一番大きな原画像サイズの画像データのインデックス画像をインデックス画像表示領域に収まる最大の大きさに拡大して生成すれば、小さい原画像サイズの画像データのみのインデックス画像を表示する場合に、インデックス画像の内容が大きく表示されるので、ユーザが画像データの内容を容易に把握することができる。また、このインデックス画像の拡大表示に伴ってサンプル画像も拡大表示されるので、インデックス画像（原画像）をプリントアウトした場合の具体的な大きさを実感できるという効果は維持される。
【００４０】
次に、画像生成処理の第３実施形態について説明する。図９は画像生成処理の第３実施形態を示すフローチャート、図１０は第３実施形態に係る画像生成処理によるインデックス画像及びサンプル画像のディスプレイ上での表示例を示す図である。当該第３実施形態に係る画像生成処理では、インデックス画像の画像サイズに応じてサンプル画像の種類を変更して、インデックス表示されている原画像が実際上どの程度の大きさでプリントアウトされるのかをより明確に実感できるようにする。
【００４１】
この第３実施形態では、画像表示プログラムのサンプル画像データ記憶部に複数のキャラクタ画像（五円硬貨、人間の手、人の容姿を表したもの等）のデータを記憶しておき、画像サイズ記憶部には、どのインデックス画像サイズに如何なるサンプル画像キャラクタを用いるかの情報（サンプル画像キャラクタ関連付情報）を記憶しておくようにする。
【００４２】
まず、記録媒体９のディレクトリ内の画像情報から画像データの原画像サイズを確認し（Ｓ３１）、次に画像サイズ記憶部から当該原画像サイズに対応するインデックス画像サイズ及びサンプル画像キャラクタ関連付情報（どのキャラクタを用いるか）・サンプル画像サイズを決定する（Ｓ３２）。
【００４３】
そして、記録媒体９から当該画像データを読み出し（Ｓ３３）、読み出した画像データを間引処理等して当該決定したサイズのインデックス画像を生成する（Ｓ３４）。次に画像表示プログラム内のサンプル画像記憶部から、上記決定したキャラクタのサンプル画像データを読み出し（Ｓ３５）、読み出したサンプル画像データを処理して当該決定したサイズのサンプル画像を生成する（Ｓ３６）。そして、生成したインデックス画像及びサンプル画像のデータをＲＡＭ５（画像メモリ）に転送し（Ｓ３７）、当該インデックス画像をディスプレイ７に表示させる（Ｓ３８）。
【００４４】
例えば、図１０に示すように、名刺サイズのような小さな原画像サイズの画像データについてインデックス画像を生成する場合は、サンプル画像キャラクタとして五円硬貨を設定しておき、Ａ０サイズのような大きな原画像サイズの画像データの場合は、サンプル画像キャラクタとして人の容姿を表したものを設定しておくようにする。これにより、人間の手のサンプル画像のみをサンプル画像として表示する場合よりも、表示されている画像をプリントアウトした時の具体的な大きさを実感できる。また、Ａ３〜Ａ５サイズのように事務用紙として多用されるサイズを現画像サイズとするインデックス画像に対しては、人間の手をサンプル画像キャラクタとして設定しておき、この人間の手のサンプル画像のサイズを画像サイズに応じて変化させることによって、画像データの画像サイズの具体的な大きさを実感できるようにする。
【００４５】
なお、当該第３の実施形態に係る画像生成処理においても、第２実施形態の画像生成処理に示したような、記録媒体９に記録されている複数の画像データの各原画像サイズを比較して、複数の画像データの各原画像サイズが一定範囲内に揃っている場合は、インデックス画像を、他の原画像サイズの画像データのインデックス画像との相対的な大小関係を維持しつつ、インデックス画像表示領域内に収まる最大の大きさとなるように拡大し、当該拡大生成処理に合わせて、サンプル画像も、対応するインデックス画像との相対的な画像サイズの大きさの関係を維持すべく拡大して生成する処理を行うようにしてもよい。
【００４６】
次に、画像生成処理の第４の実施形態について説明する。図１１は画像生成処理の第４実施形態を示すフローチャートである。この第４実施形態では、ディスプレイ画面上でのインデックス画像表示時はサンプル画像を表示せず、ディスプレイ画面上に表示されているマウスポインタ（ポインタの一例）がインデックス画像表示部分に重なったことを条件として、当該マウスポインタをサンプル画像に切り換えて表示するようにする。
【００４７】
第１実施形態と同様に、記録媒体９に記憶されている画像データについてインデックス画像及びサンプル画像を生成して画像メモリ（ＲＡＭ５）に転送して一時的に記憶させておく（Ｓ４１乃至Ｓ４７）。そして、画像メモリ（ＲＡＭ５）に記憶されているインデックス画像及びサンプル画像のうち、インデックス画像のみをディスプレイ７に表示させる（Ｓ４８）。このインデックス画像表示中に、インデックス画像と共に画面上に表示されているマウスポインタ（マウス等のポインティングデバイスの操作に従って画面上を移動するように表示される範囲指定等を行うためのアイコン）の表示が、インデックス画像のいずれかの表示部分に重なったときに（Ｓ４９でＹＥＳ）、当該マウスポインタと重なったインデックス画像に対応するサンプル画像をディスプレイに表示するようにする（Ｓ５０）。
【００４８】
この第４実施形態に係る画像生成処理によれば、普段はインデックス画像のみが表示されるシンプルな画面として、インデックス画像のサイズや画像の内容を視認しやすくしておき、インデックス画像とサンプル画像の画像サイズの対比によって実際のプリントアウト時の大きさを実感したいときには、マウスポインタをインデックス画像上に重ね合わせれば、即座にサンプル画像を表示させることができる。
【００４９】
この第４実施形態に係る画像生成処理においても、第２実施形態の画像生成処理に示したような、インデックス画像及びサンプル画像の拡大処理を行うようにしてもよいし、更には、当該第３実施形態に係る画像生成処理のような、インデックス画像の画像サイズに応じてサンプル画像の種類を変更する画像生成処理を行うようにしてもよい。
【００５０】
なお、本発明は上記実施の形態の構成に限られず種々の変形が可能である。例えば、上記実施の形態では、画像データのインデックス画像サイズを図４に示す大きさとしているが、インデックス画像サイズは当該サイズに限定されるものではなく、適宜変更が可能である。また、上記実施形態では、サンプル画像キャラクタとして、五円硬貨、人間の手、人の容姿等が用意されているが、他のキャラクタの画像を用いることは勿論可能である。
【００５１】
【発明の効果】
以上のように本発明によれば、インデックス画像との画像サイズの対比によってインデックス画像の画像データの原画像サイズをユーザが認識できるサンプル画像が、インデックス画像と共にディスプレイ画面上に表示されるので、ユーザは一覧表示されたインデックス画像及びサンプル画像を視認することによって、インデックス画像として表示されている画像が、具体的にどの程度の大きさでプリントアウトされるのかを実感することができる。
【００５２】
また、サンプル画像生成手段が、インデックス画像の画像サイズに応じてサンプル画像の種類を変更して生成するようにすれば、インデックス画像の画像サイズを把握するために適切な物品の画像をそれぞれサンプル画像とすることが可能になるので、ユーザはインデックス画像とサンプル画像の画像サイズの対比によって、画面上に表示されている画像が、具体的にどの程度の大きさでプリントアウトされるのかをより的確に実感することができる。
【００５３】
また、画像表示手段が、インデックス画像をディスプレイ画面上に表示しているときに、ディスプレイ画面上のマウスポインタ表示がインデックス画像に重なったことを条件として、当該マウスポインタをサンプル画像に切り換えて表示するようにすれば、普段はインデックス画像のみが表示されたシンプルな画面として、インデックス画像のサイズや画像内容を視認しやすい画面にしておき、インデックス画像とサンプル画像の画像サイズの対比を行いたい場合に、マウス操作によって即座にサンプル画像を表示させることができる。
【図面の簡単な説明】
【図１】本発明に係る画像表示装置の概略構成を示すブロック図である。
【図２】本発明に係る画像表示装置の主要機能ブロック図である。
【図３】画像生成処理の第１実施形態を示すフローチャートである。
【図４】各画像サイズに対応するインデックス画像サイズの対比をグラフで示した図である。
【図５】第１実施形態に係る画像生成処理によるインデックス画像及びサンプル画像のディスプレイ上での表示例を示す図である。
【図６】画像生成処理の第２実施形態を示すフローチャートである。
【図７】第２実施形態に係る画像生成処理によるインデックス画像及びサンプル画像のディスプレイ上での表示例を示す図である。
【図８】第２実施形態に係る画像生成処理によるインデックス画像及びサンプル画像のディスプレイ上での表示例を示す図である。
【図９】画像生成処理の第３実施形態を示すフローチャートてせある。
【図１０】第３実施形態に係る画像生成処理によるインデックス画像及びサンプル画像のディスプレイ上での表示例を示す図である。
【図１１】画像生成処理の第４実施形態を示すフローチャートである。
【図１２】従来の画像表示装置によるインデックス画像の表示例を示す図である。
【図１３】従来の画像表示装置によるインデックス画像の表示例を示す図である。
【符号の説明】
１　　画像表示装置
７　　ディスプレイ
９　　記録媒体
２１　画像データ読出部
２２　インデックス画像生成部
２３　サンプル画像生成部
２４　画像表示部
【図１】
2004015237.tif 000003
【図２】
2004015237.tif 000004
【図３】
2004015237.tif 000005
【図４】
2004015237.tif 000006
【図５】
2004015237.tif 000007
【図６】
2004015237.tif 000008
【図７】
2004015237.tif 000009
【図８】
2004015237.tif 000010
【図９】
2004015237.tif 000011
【図１０】
2004015237.tif 000012
【図１１】
2004015237.tif 000013
【図１２】
2004015237.tif 000014
【図１３】
2004015237.tif 000015